(57)【要約】【課題】漏電を防止するためのアース線導出部を、均熱シートに安価かつ効率的に固着させた新規な構造の暖房パネルを提供する。【解決手段】表面材１１と裏面材１２との間に通電ヒータ１３を面状に配置し、表面材１１と通電ヒータ１３との間に導電性の均熱シート１４を介在させ、均熱シート１４に漏電防止用のアース線の導出部２２を接続した構造において、均熱シート１４は、その一部がアース線接続部２１とされ、このアース線接続部２１を除いて表面材１１に貼着されており、アース接続部２１は、表面材１２から引き起こされて、アース線の導出部２１が機械的に結合固定されている。【選択図】図１
2010127576.tif 000002
【特許請求の範囲】
【請求項１】
表面材と裏面材との間に通電ヒータを面状に配置し、前記表面材と前記通電ヒータとの間に導電性の均熱シートを介在させ、前記均熱シートに漏電防止用のアース線の導出部を接続した構造の暖房パネルにおいて、
前記均熱シートは、その一部がアース線接続部とされ、該アース線接続部を除いて前記表面材に貼着されており、
前記アース接続部は、前記表面材から引き起こされて、前記アース線の導出部が機械的に結合固定されている暖房パネル。
【請求項２】
請求項１において、
前記均熱シートは前記通電ヒータよりも大きい寸法を有し、前記通電ヒータよりはみ出させて前記表面材に貼着されており、該はみ出し部分においてアース線接続部が形成されている暖房パネル。
【請求項３】
請求項１または２において、
前記均熱シートのアース線接続部の背部側には空隙が形成されている暖房パネル。
【請求項４】
請求項１〜３のいずれかにおいて、
前記アース線接続部は、前記均熱シートの周縁のコーナー部を引き起こすことで形成されている暖房パネル。
【請求項５】
請求項１〜３のいずれかにおいて、
前記アース線接続部は、均熱シートの周縁から内方に向かう切込みを形成してその部分を前記表面材から引き起すことで形成されている暖房パネル。
【請求項６】
請求項１〜５のいずれかにおいて、
前記アース線接続部は、前記均熱シートを引き起こし更に２枚重ねに折り重ねた部分が形成されており、この部分に前記アース線の導出部が固着されている暖房パネル。
【発明の詳細な説明】
【技術分野】
【０００１】
本発明は、表面材と裏面材との間に、通電ヒータを、表面材側に通電ヒータの発熱を拡散させる導電性の均熱シートを介在させて挟み込み、均熱シートに漏電防止用アース線の導出部を固着させた構造を有した暖房パネルに関する。
【背景技術】
【０００２】
従来、表面材と裏面材との間に、通電ヒータを、表面材側に通電ヒータの発熱を拡散させる導電性の均熱シートを介在させて挟み込み、均熱シートに漏電防止用アース線の導出部を固着させた構造を有した暖房パネルが知られている。このような構造の暖房パネルでは、表面材にアルミ箔等からなる均熱シートを取り付けたあと、その均熱シートに、アース線を金属テープや導電性接着剤で接着してアースする方法が提案されていた。
【０００３】
しかし、この接着法によるアース線の導通接続では、接着不備や強度不足があると、均熱シートからアース線が剥離してしまう疑念がある。この問題に対して、次の特許文献１には、その金属テープの背面側に弾性材を設置して、金属テープを押圧することで剥離を防止することが記載されている。
【特許文献１】特開２０００−１７９８７７号公報
【発明の開示】
【発明が解決しようとする課題】
【０００４】
しかしながら、上記特許文献１の手法では、弾性材の押圧力が強すぎると暖房パネルの表面材や裏面材を圧迫し、外観に部分的な膨れなどを生じる虞がある。その一方、弾性材の押圧力が弱いと、アース線の剥離防止効果が弱くなって意味がなくなるという問題がある。また、弾性材を新たに必要とするため、コストがかかる、また、弾性体を設置するための工程も必要になるというような問題が生じてくる。
【０００５】
そこで、上記の接着法の代わりに、均熱シートにアース線をハトメ等の機械的締結手段により連結する方法が考えられる。子御場合、アース線を均熱シートにハトメ止めし、それから均熱シートを表面材の裏面に貼り付ける製造工程になる。また、ハトメ以外の締結手段として、均熱シートを表面材に貼着し、その後、タッピングネジ等によってアース端子を均熱シートに取り付けることもできる。
【０００６】
しかし、予めアース線を取り付けた均熱シートを表面材に貼着する方法では、均熱シートの貼着の際に、シワが発生しやすいという問題が生じる虞がある。また、タッピングネジ等によってアース端子を均熱シートに取り付ける方法では、表面材が薄いため、タッピングネジの先端が表面材を突き抜けないようにする必要があり、固定強度が低くなるという問題が生じる。
【０００７】
そこで、本発明は、アース線導出部を、均熱シートに安価かつ効率的に固着できる新規な構造の暖房パネルを提供することを課題とする。
【課題を解決するための手段】
【０００８】
本発明は、面材と裏面材との間に通電ヒータを面状に配置し、前記表面材と前記通電ヒータとの間に導電性の均熱シートを介在させ、前記均熱シートに漏電防止用のアース線の導出部を接続した構造の暖房パネルにおいて、前記均熱シートは、その一部がアース線接続部とされ、該アース線接続部を除いて前記表面材に貼着されており、前記アース接続部は、前記表面材から引き起こされて、前記アース線の導出部が機械的に結合固定されている。
【０００９】
なお、前記均熱シートは前記通電ヒータよりも大きい寸法を有し、前記通電ヒータよりはみ出させて前記表面材に貼着されており、該はみ出し部分においてアース線接続部が形成されているとよい。
【００１０】
また、上記においては、前記均熱シートのアース線接続部の背部側には空隙が形成されていることが望ましい。
【００１１】
なお、前記アース線接続部は、前記均熱シートの周縁のコーナー部を引き起こすことで形成してもよい。
【００１２】
あるいは、均熱シートの周縁から内方に向かう切込みを形成してその部分を前記表面材から引き起すことで形成してもよい。
【００１３】
また、前記アース線接続部は、前記均熱シートを引き起こし更に２枚重ねに折り重ねた部分が形成されており、この部分に前記アース線の導出部が固着されるようにしてもよい。
【発明の効果】
【００１４】
本発明では、均熱シートをその一部を除いて表面材に貼着し、貼着していない部分をアース線との接続工程で引き起してアース線接続部として、アース線の導出部を機械的に結合固定させた構造としている。そのため、アース線の導出部を接着固定した従来の構造では生じ易かった接着不足や剥離等による導通不良の心配が無い。また、特別な部材等を必要としないので、コストが抑えられる。特に、アース線接続部を、均熱シートの部分的に引き起こした部位としたことで、アース線の導出部を機械的に結合固定しやすいという利点もある。
【００１５】
特に、均熱シートのアース線接続部の背部側には空隙が形成された構造では、アース線接続部に対して背方から応力が加わることが無く、アース線の導出部を機械的に結合固定した箇所が表面材の裏面側に押し付けられる等して表面材の表面側にその痕跡が現出するなどの外観的不具合を生じることがない。
【００１６】
また、均熱シートは通電ヒータよりも大きい寸法を有し、通電ヒータよりはみ出させて表面材に貼着されており、該はみ出し部分においてアース線接続部が形成された構造では、アース線接続部とアース線との結合部分に対して、通電ヒータによる干渉を受けることがない。
【００１７】
また、均熱シートのアース線接続部の背部側には空隙が形成された構造では、アース線接続部に対して背方から応力が加わることが無く、アース線の導出部を機械的に結合固定した箇所が表面材の裏面側に押し付けられる等して表面材の表面側に突起等の痕跡が現出するなどの外観的不具合を生じることがない。
【００１８】
また、アース線接続部は、均熱シートの周縁のコーナー部を表面材から引き起こすことで形成された構造では、特に均熱シートに加工を施す必要がないのでコストが抑えられる。
【００１９】
一方、アース線接続部は、均熱シートの周縁から内方に向かう切込みを形成してその部分を表面材から引き起すことで形成された構造では、均熱シートの周縁の任意の位置にアース線接続部を形成できるので、設計の自由度が向上する。
【００２０】
更に、アース線接続部は、均熱シートを引き起こし更に２枚重ねに折り重ねた部分が形成されており、この部分にアース線の導出部が固着された構造では、アース線接続部の強度が増すので、均熱シートの破断等が生じ難くなる。
【発明を実施するための最良の形態】
【００２１】
以下、本発明を実施した暖房パネルを図面を参照しながら説明する。実施例の暖房パネルは、例えば、トイレや居間、ダイニングなど屋内空間に設置して用いる壁パネルとして使用されるものを例示している。
【００２２】
図１は実施例の縦方向の断面図、図２は実施例の横方向の断面図、図３は実施例における通電ヒータおよび均熱シートの広がりを示した平面図である。なお、これらの図は、裏面材を上側、表面材を下側として描いており、図３の２点破線は、図１、図２の断面図を得るための切断位置を示している。
【００２３】
この暖房パネル１は、表面材１１と裏面材１２との間に、通電ヒータ１３を、表面材側に通電ヒータ１３の発熱を拡散させる導電性の均熱シート１４を介在させて挟み込んだ基本構造を有している。
【００２４】
表面材１１は、例えば、合板あるいはＭＤＦ等を突板で化粧加工したものであるが、通電ヒータ１３の発熱を伝えるために薄手になっている。また、裏面材１２は、厚手の合板あるいはＭＤＦ等からなる。
【００２５】
裏面材１２には、スペーサ材１５が枠状に取り付けられており、このスペーサ材１５に囲まれた凹部がヒータ収容部になる。また、裏面材１２の端に近い部分には、この部分に、通電ヒータ１および断熱材２０を配置しないことから、空隙部が生じる。この空隙部での表面材１１の湾曲等を防ぐために裏面材１２の端部には、スペーサ材１５が取り付けられている。
【００２６】
通電ヒータ１３は、裏面材１２、およびスペーサ材１５で囲まれたヒータ収容部に収容される。通電ヒータ１３は、例えば、平面的に展開したニクロム等の電熱線を保護シートで固定被覆したものでもよい。あるいは、基材シートにＰ特性の半導体インキ層を定着させ、更に保護シートで全体を被覆したものでもよい。後者は、ＰＴＣ（Positive Temperature Coefficient）ヒータとして知られており、ヒータ自身が予め設定された温度以上には発熱しないという性質を有する。また、通電ヒータ１３と裏面材１２との間に断熱材２０を介在させることで、裏面材側への熱の拡散を抑えている。なお、通電ヒータ１３は、図示しない配線によって、通電ヒータ１３に電力を供給する電源コントローラに接続される。
【００２７】
表面材１１には、均熱シート１４が全面的に貼着されている。均熱シート１４は、例えば、厚さが５０ミクロン程のアルミ箔としてもよい。あるいは、カーボンシートを用いてもよい。これにより、空隙部分等、通電ヒータ１３が配置されていない領域にも熱を均等に伝えることが可能になる。なお、均熱シート１４は、空隙部において、部分的に表面材１１に貼着されておらず、そこが表面材１１から引き起こされてアース線接続部２１になる。
【００２８】
このアース線接続部２１には、漏電を防止するためアース線１７の導出部２２が、ハトメ、あるいはホチキス針によって固着される。アース線は、空隙部の開口から、あるいは裏面材１２に適宜設けた開口から外部に導出される。
【００２９】
このように、本発明では、均熱シート１４の一部を除いて表面材１１に貼着し、貼着していない部分をアース線１７との接続工程で引き起してアース線接続部２１として、そこにアース線１７の導出部を機械的に結合固定させた構造としているので、アース線の導出部２２を接着固定した従来の構造では生じ易かった接着不足や剥離等による導通不良の心配が無い。また、特別な部材等を必要としないので、コストも抑えられる。特に、アース線接続部２１を均熱シート１４を部分的に引き起こした部位としたことで、アース線の導出部２２を機械的に結合固定しやすく工程が簡単になるという利点もある。
【００３０】
また、アース線接続部２１は、空隙部にあるので、アース線接続部２１に対して背方から応力が加わることが無く、アース線１７の導出部を機械的に結合固定した箇所が表面材１１の裏面側に押し付けられる等により、表面材１１の表面側にその突起等の痕跡が現出するなどの外観的不具合を生じることもない。
【００３１】
また、均熱シート１４は通電ヒータ１３よりも大きい寸法を有し、通電ヒータ１３よりはみ出させて表面材１１に貼着されており、該はみ出し部分、つまり空隙部においてアース線接続部２１が形成されている。従って、アース線接続部２１とアース線１７との結合部分に対して、通電ヒータ１３による干渉を受けることもない
【００３２】
図４、図５、図６は、他の実施例の部分的な模式図で、それぞれ異なるアース線接続部２１の具体例を示している。
【００３３】
図４のアース線接続部２１は、均熱シート１４の周縁のコーナー部を表面材１１から引き起こすことで形成されている。このようにすれば、特に均熱シート１４に加工を施す必要がないのでコストを抑えることができる。
【００３４】
図５のアース線接続部２１は、均熱シート１４の周縁から内方に向かう切込みを形成してその部分を表面材１１から引き起すことで形成されている。このようにすれば、均熱シート１４の周縁の任意の位置にアース線接続部２１を形成できるので、設計の自由度が向上する。
【００３５】
図６のアース線接続部２１は、均熱シート１４を引き起こし更に２枚重ねに折り重ねた部分が形成されており、この部分にアース線の導出部２２が固着されている。このようにすれば、アース線接続部の２１強度が増すので、均熱シート１４の破断等が生じ難くなる。
【図面の簡単な説明】
【００３６】
【図１】実施例の縦方向の断面図である。
【図２】実施例の横方向の断面図である。
【図３】実施例の平面図である。
【図４】他の実施例の部分的な模式図である。
【図５】他の実施例の部分的な模式図である。
【図６】他の実施例の部分的な模式図である。
【符号の説明】
【００３７】
１１    表面材
１２    裏面材
１３    通電ヒータ
１４    均熱シート
１７    アース線
２１    アース線接続部
２２    アース線の導出部
【図１】
2010127576.tif 000003
【図２】
2010127576.tif 000004
【図３】
2010127576.tif 000005
【図４】
2010127576.tif 000006
【図５】
2010127576.tif 000007
【図６】
2010127576.tif 000008